(57)【要約】【課題】密着型光学系を具備する画像読取装置および画像形成装置において、貼合わせ原稿の原稿影の発生を防止しつつ、消費電力を低減することができる画像読取装置を提供する。【解決手段】本発明に係る画像読取装置は、原稿を載置する原稿台の下方に、前記原稿台に密着して配設されるセンサと、前記原稿の読取領域に対して、斜め下方から光を照射する第１の光源と、前記センサを挟んで前記第１の光源の反対の位置に配設され、前記第１の光源から照射される光の方向と反対の斜め下方から、前記原稿の読取領域に対して光を照射する第２の光源と、を備え、前記原稿が貼合わせ原稿でないときには、前記第１の光源が点灯され、前記原稿が貼合わせ原稿であるときには、前記第１の光源および前記第２の光源が点灯される、ことを特徴とする。【選択図】  図４
2008028992.tif 000002
【特許請求の範囲】
【請求項１】
原稿を載置する原稿台の下方に、前記原稿台に密着して配設されるセンサと、
前記原稿の読取領域に対して、斜め下方から光を照射する第１の光源と、
前記センサを挟んで前記第１の光源の反対の位置に配設され、前記第１の光源から照射される光の方向と反対の斜め下方から、前記原稿の読取領域に対して光を照射する第２の光源と、
を備え、
前記原稿が貼合わせ原稿でないときには、前記第１の光源が点灯され、
前記原稿が貼合わせ原稿であるときには、前記第１の光源および前記第２の光源が点灯される、
ことを特徴とする画像読取装置。
【請求項２】
前記原稿が貼合わせ原稿であるか否かを設定可能な操作部、
をさらに備えたことを特徴とする請求項１に記載の画像読取装置。
【請求項３】
前記原稿が貼合わせ原稿であるか否かを判定する原稿判定部、
をさらに備えたことを特徴とする請求項１に記載の画像読取装置。
【請求項４】
前記原稿判定部は、
前記第１の光源を点灯して予備読み取り走査を行い、前記原稿が貼合わせ原稿の場合に生じる貼合わせ境界の陰影の有無に基づいて、前記原稿が貼合わせ原稿であるか否かを判定する、
ことを特徴とする請求項３に記載の画像読取装置。
【請求項５】
前記センサは、ＣＣＤラインセンサであり、
前記センサと前記原稿台の下面との間には、自己収束レンズが設けられることを特徴とする、
請求項１に記載の画像読取装置。
【請求項６】
前記第１の光源は、赤、緑、および青の３つのＬＥＤとライン状の導光管とを具備して構成される光源であり、
前記第２の光源は、イエロー・グリーンのＬＥＤリニアアレイから構成される光源である、
ことを特徴とする請求項１に記載の画像読取装置。
【請求項７】
自動原稿送り装置をさらに備え、
原稿を、前記自動原稿送り装置を用いて前記センサで読み取るときには、前記第１の光源を点灯して読み取る、
ことを特徴とする請求項１に記載の画像読取装置。
【請求項８】
スキャナ部と、
前記スキャナ部で生成される画像データに対して各種の画像処理を行う画像処理部と、
画像処理された画像データを記録紙に印刷する画像形成部と、
を具備し、
前記スキャナ部は、
原稿を載置する原稿台の下方に、前記原稿台に密着して配設されるセンサと、
前記原稿の読取領域に対して、斜め下方から光を照射する第１の光源と、
前記センサを挟んで前記第１の光源の反対の位置に配設され、前記第１の光源から照射される光の方向と反対の斜め下方から、前記原稿の読取領域に対して光を照射する第２の光源と、
を備え、
前記原稿が貼合わせ原稿でないときには、前記第１の光源が点灯され、
前記原稿が貼合わせ原稿であるときには、前記第１の光源および前記第２の光源が点灯される、
ことを特徴とする画像形成装置。
【請求項９】
前記原稿が貼合わせ原稿であるか否かを設定可能な操作部、
をさらに備えたことを特徴とする請求項８に記載の画像形成装置。
【請求項１０】
前記原稿が貼合わせ原稿であるか否かを判定する原稿判定部、
をさらに備えたことを特徴とする請求項８に記載の画像形成装置。
【請求項１１】
前記原稿判定部は、
前記第１の光源を点灯して予備読み取り走査を行い、前記原稿が貼合わせ原稿の場合に生じる貼合わせ境界の陰影の有無に基づいて、前記原稿が貼合わせ原稿であるか否かを判定する、
ことを特徴とする請求項１０に記載の画像形成装置。
【請求項１２】
前記センサは、ＣＣＤラインセンサであり、
前記センサと前記原稿台の下面との間には、自己収束レンズが設けられることを特徴とする、
請求項８に記載の画像形成装置。
【請求項１３】
前記第１の光源は、赤、緑、および青の３つのＬＥＤとライン状の導光管とを具備して構成される光源であり、
前記第２の光源は、イエロー・グリーンのＬＥＤリニアアレイから構成される光源である、
ことを特徴とする請求項８に記載の画像形成装置。
【請求項１４】
原稿を載置する原稿台の下方に前記原稿台に密着して配設されるセンサを使用して、前記原稿を読み取り、
前記原稿の読取領域に対して、第１の光源を用いて斜め下方から光を照射し、
前記センサを挟んで前記第１の光源の反対の位置に配設される第２の光源を用いて、前記第１の光源から照射される光の方向と反対の斜め下方から、前記原稿の読取領域に対して光を照射する、
ステップを備え、
前記原稿が貼合わせ原稿でないときには、前記第１の光源を点灯し、
前記原稿が貼合わせ原稿であるときには、前記第１の光源および前記第２の光源を点灯する、
ことを特徴とする画像読取方法。
【請求項１５】
前記原稿が貼合わせ原稿であるか否かを、操作部から入力される情報に基づいて判定する、
ことを特徴とする請求項１４に記載の画像読取方法。
【請求項１６】
前記原稿が貼合わせ原稿であるか否かを判定する、
ステップをさらに備えたことを特徴とする請求項１４に記載の画像読取方法。
【請求項１７】
前記判定するステップは、
前記第１の光源を点灯して予備読み取り走査を行い、前記原稿が貼合わせ原稿の場合に生じる貼合わせ境界の陰影の有無に基づいて、前記原稿が貼合わせ原稿であるか否かを判定する、
ことを特徴とする請求項１６に記載の画像読取方法。
【請求項１８】
前記センサは、ＣＣＤラインセンサであり、
前記センサと前記原稿台の下面との間には、自己収束レンズが設けられることを特徴とする、
請求項１４に記載の画像読取方法。
【請求項１９】
前記第１の光源は、赤、緑、および青の３つのＬＥＤとライン状の導光管とを具備して構成される光源であり、
前記第２の光源は、イエロー・グリーンのＬＥＤリニアアレイから構成される光源である、
ことを特徴とする請求項１４に記載の画像読取方法。
【請求項２０】
原稿を、自動原稿送り装置を用いて前記センサで読み取るときには、前記第１の光源を点灯して読み取る、
ことを特徴とする請求項１４に記載の画像読取方法。
【発明の詳細な説明】
【技術分野】
【０００１】
本発明は、画像読取装置、画像形成装置および画像読取方法に係り、特に、密着型センサを用いた画像読取装置、画像形成装置および画像読取方法に関する。
【背景技術】
【０００２】
スキャナ等の画像読取装置やコピー機等の画像形成装置では、原稿を読み取るとるための光学系を具備している。この光学系は、「縮小光学系」と「密着光学系」（ＣＩＳ方式：Contact  Image  Sensor）に分類できる。
【０００３】
「光学縮小系」では、原稿からの反射光をミラーで何度も折り返しながら集光レンズに導き、原稿から離れた位置に設けられているセンサで原稿からの反射信号を読み取る方式である。「密着光学系」に比べると被写界深度が深く取れる利点があるが、原稿からセンサまでの光路長が長くなるため、一般に物理的なサイズが大きくなる。
【０００４】
これに対して、「密着系光学系」は、原稿の下方に密着させてセンサを配置する方式のものであり、被写界深度が浅くなるという欠点はあるものの、物理的なサイズが小さくなるという利点を有する。
【発明の開示】
【発明が解決しようとする課題】
【０００５】
ところで、スキャナやコピー機で読み取る原稿の中には、２枚、或いはそれ以上の原稿を部分的に貼合わせた原稿（以下、貼合わせ原稿という）が含まれる。このような貼合わせ原稿は、貼合わせ部分に段差があるため、段差の部分が影（以下、原稿影という）となり、読み取った画像データに黒い線として現れてくる場合がある。
【０００６】
「縮小光学系」の場合には、光源からの直接光と、ミラーからの反射光とを異なる方向から貼合わせ部分の段差に照射する構造が可能となるため、原稿影の影響は比較的少ない。
【０００７】
これに対して、「密着系光学系」は、ミラーを設けない形態であるため、原稿の斜め下方から１つの光源で照射した場合、貼合わせ部分の原稿影の影響が大きくなると言う問題があった。
【０００８】
この問題を解決するため、「密着系光学系」においては、密着型のセンサを挟んで左右に２つの光源を設け、左右の２つの斜め下方から原稿の段差部分を照射することで原稿影の発生を防止する方法が考えられている。
【０００９】
しかしながら、この方法は、２つの光源を使用する形態であるため、消費電力が大きくなると言う問題がある。
【００１０】
本発明は上記事情に鑑みてなされたもので、密着型光学系を具備する画像読取装置および画像形成装置において、貼合わせ原稿の原稿影の発生を防止しつつ、消費電力を低減することができる画像読取装置、画像形成装置、および画像読取方法を提供することを目的とする。
【課題を解決するための手段】
【００１１】
上記課題を解決するため、本発明に係る画像読取装置は、原稿を載置する原稿台の下方に、前記原稿台に密着して配設されるセンサと、前記原稿の読取領域に対して、斜め下方から光を照射する第１の光源と、前記センサを挟んで前記第１の光源の反対の位置に配設され、前記第１の光源から照射される光の方向と反対の斜め下方から、前記原稿の読取領域に対して光を照射する第２の光源と、を備え、前記原稿が貼合わせ原稿でないときには、前記第１の光源が点灯され、前記原稿が貼合わせ原稿であるときには、前記第１の光源および前記第２の光源が点灯される、ことを特徴とする。
【００１２】
また、上記課題を解決するため、本発明に係る画像形成装置は、スキャナ部と、前記スキャナ部で生成される画像データに対して各種の画像処理を行う画像処理部と、画像処理された画像データを記録紙に印刷する画像形成部と、を具備し、前記スキャナ部は、原稿を載置する原稿台の下方に、前記原稿台に密着して配設されるセンサと、前記原稿の読取領域に対して、斜め下方から光を照射する第１の光源と、前記センサを挟んで前記第１の光源の反対の位置に配設され、前記第１の光源から照射される光の方向と反対の斜め下方から、前記原稿の読取領域に対して光を照射する第２の光源と、を備え、前記原稿が貼合わせ原稿でないときには、前記第１の光源が点灯され、前記原稿が貼合わせ原稿であるときには、前記第１の光源および前記第２の光源が点灯される、ことを特徴とする。
【００１３】
また、上記課題を解決するため、本発明に係る画像読取方法は、原稿を載置する原稿台の下方に前記原稿台に密着して配設されるセンサを使用して、前記原稿を読み取り、前記原稿の読取領域に対して、第１の光源を用いて斜め下方から光を照射し、前記センサを挟んで前記第１の光源の反対の位置に配設される第２の光源を用いて、前記第１の光源から照射される光の方向と反対の斜め下方から、前記原稿の読取領域に対して光を照射する、ステップを備え、前記原稿が貼合わせ原稿でないときには、前記第１の光源を点灯し、前記原稿が貼合わせ原稿であるときには、前記第１の光源および前記第２の光源を点灯する、ことを特徴とする。
【発明の効果】
【００１４】
本発明に係る画像読取装置、画像形成装置、および画像読取方法によれば、密着型光学系を具備する画像読取装置および画像形成装置において、貼合わせ原稿の原稿影の発生を防止しつつ、消費電力を低減することができる。
【発明を実施するための最良の形態】
【００１５】
本発明に係る画像読取装置、画像形成装置および画像形成方法の実施形態について、添付図面を参照して説明する。
【００１６】
（１）画像形成装置の構成
図１は、本発明の一実施形態に係る画像形成装置１の構成例を示す図である。
【００１７】
画像形成装置１は、画像読取装置２（スキャナ部２）、画像処理部３、画像形成部４、給紙部５、排紙部６、制御部７、および操作部８を備えて構成されている。
【００１８】
画像読取装置２は、原稿１００を載置する原稿ガラス台２５を有しており、原稿ガラス台２５の下方には、原稿ガラス台２５に密着するように、密着型センサ（ＣＩＳ）ユニット２０が設けられている。
【００１９】
ＣＩＳユニット２０は、図中の矢印で示したように、原稿ガラス台２５の上に載置された原稿１００の前端から後端まで、副走査方向に移動しながら原稿１００を読み取り、読み取った画像データを画像処理部３に出力する。
【００２０】
原稿ガラス台２５の前端部には、原稿１００の位置決め用に原稿突き当て板２６が設けられており、その下部には、白色基準板２７が設けられている。白色基準板２７は、主走査方向（副走査方向と直交する奥行き方向）に対する光源の光量やセンサの感度の不均一性等を補正する（シェーディング補正）際の基準反射板として用いられるものである。
【００２１】
ＣＩＳユニット２０から出力される画像データは、画像処理部３において、シェーディング補正、色変換処理、空間フィルタリング処理、階調補正処理等の各種画像処理が施される。
【００２２】
画像処理された画像データは、画像形成部４に入力される。画像形成部４では、電子写真プロセス等によって、例えば感光ドラム（図示せず）上に画像データを露光、現像しトナー画像を形成する。
【００２３】
一方、給紙部５から供給される記録紙は、画像形成部４に搬送され、ここでトナー画像が感光ドラムから記録紙に転写、定着され、記録紙に画像が印刷される。このようにして画像が印刷された記録紙は、排紙部６から外部に排出される。
【００２４】
制御部７は、ＣＰＵ等を内蔵しており、画像形成装置１の全体の制御を行っている。また、制御部７には、操作部８が接続されている。操作部８は、コントロールパネルとも呼ばれるもので、液晶表示器やタッチパネル、或いは各種のスイッチを備えて構成されている。
【００２５】
（２）ＣＩＳユニットの構成
図２は、ＣＩＳユニット２０の構成例を示す図である。ＣＩＳユニット２０は、主灯（第１の光源）２１及び補助灯（第２の光源）２４の２本の露光ランプを備えている。
【００２６】
主灯２１は、例えば、主走査方向に伸びる導光管と、その一端に赤、緑、および青の３つのＬＥＤとを具備して構成されている。ＬＥＤから放射される光は、導光管を伝播する間に偏向されて原稿を主走査方向に一様に照射する。
【００２７】
赤、緑、および青の３つのＬＥＤを順次切換えながらＣＩＳユニット２０を副走査方向に移動させることで、カラー原稿に対してＲ，Ｇ，Ｂの画像データを出力することができる。
【００２８】
一方、補助灯２４は、例えば、イエロー・グリーン（yellow  green）のＬＥＤリニアアレイから構成される光源である。後述するように、貼合わせ原稿の読みとる際に、主灯２１とは異なる方向から原稿を照射することで、貼合わせ原稿の原稿影の発生を防止している。
【００２９】
また、ＣＩＳユニット２０は、自己収束レンズ２２（self-focusing  lens）と、ＣＣＤセンサ（センサ）２３とを具備している。
【００３０】
自己収束レンズ２２は、セルフォックスレンズとも呼ばれるレンズであり、筒状のレンズユニットが主走査方向にアレイ状に配列されて構成されている。
【００３１】
主灯２１と補助灯２４とは、この自己収束レンズ２２を挟んで原稿台ガラス台（原稿台）２５の下方に配置されている。
【００３２】
原稿ガラス台２５の上に載置された原稿からの反射光は、原稿ガラス台２５のガラスを介して自己収束レンズ２２に入射し、ここで集光されて、ＣＣＤセンサ２３に結像させる。
【００３３】
図２は、通常の原稿１００（貼合わせ原稿ではない原稿）を読み取る状況を図示したものであり、この場合には、主灯２１のみから光が放射される。
【００３４】
一方、図３（Ａ）、および図３（Ｂ）は、貼合わせ原稿１００ａを読み取る際に生じる原稿影１０１の様子を模式的に示す図である。
【００３５】
貼合わせ原稿１００ａは、図３（Ａ）に示したように、記録紙のうえに部分原稿１００ｂを貼合わせたものである。複数の原稿を切り貼りして１つの原稿を作成する場合や、元の原稿を修正する場合等に多用される形態である。
【００３６】
貼合わせ原稿１００ａでは、部分原稿１００ｂのエッジの部分に段差が生じる。このため、主灯２１のみで原稿を読み取ると、段差部分が影となり、原稿影１０１が生じる。
【００３７】
図３（Ｂ）は、原稿影１０１が、線上に黒い線となって形成画像に生じる様子を模式的に示したものである。
【００３８】
図４（Ａ）、および図４（Ｂ）は、このような原稿影１０１の発生を防止するために、主灯２１に加えて補助灯２４も点灯させた様子を示す図である。
【００３９】
補助灯２４からの照射光を、主灯２１とは異なる斜め下方から貼合わせ原稿１００ａに対して照射させることで、部分原稿１００ｂのエッジの部分の段差に対しても影を生じさせることがなくなる。この結果、図４（Ｂ）に示したように、部分原稿１００ｂのエッジ部でも原稿影１０１のない、きれいな画像を形成することができる。
【００４０】
（３）動作（第１の実施形態）
図５は、本実施形態に係る画像形成装置１の動作（画像読取装置２の動作を含む）、特に、主灯２１と補助灯２４との点灯制御に係る動作例を説明するフローチャートである。
【００４１】
まず、ユーザは、画像形成装置１で読み取る原稿が、貼合わせ原稿１００ａであるか否かを、例えば目視で判断する（ステップＳＴ１）。
【００４２】
貼合わせ原稿１００ａの場合には、ユーザは操作部８を操作し、画像形成装置１を「貼合わせ原稿モード」に設定する（ステップＳＴ２）。設定された「貼合わせ原稿モード」は、例えば、制御部７の原稿判定部７０に記憶される。
【００４３】
次に、ユーザは操作部８に設けられているスタートキーを押下し（ステップＳＴ３）、制御部７の制御の下で、原稿の読み取りが開始される（ステップＳＴ４）。
【００４４】
制御部７の原稿判定部７０は、設定されているモードが、「貼合わせ原稿モード」であるか否かを判断する（ステップＳＴ５）。「貼合わせ原稿モード」の場合には、主灯２１および補助灯２４の２つの露光ランプを同時に点灯させて（ステップＳＴ７）、原稿の読み取りを行う（ステップＳＴ８）。
【００４５】
この結果、図４（Ａ），図４（Ｂ）に示したように、貼合わせ原稿１００ａに対しても貼合わせ部に原稿影１０１を生じさせることのない、きれいな画像を形成することができる。
【００４６】
一方、設定されているモードが、「貼合わせ原稿モード」でなない場合には、主灯２１のみを点灯させて（ステップＳＴ６）、原稿の読み取りを行う（ステップＳＴ８）。
【００４７】
原稿が貼合わせ原稿１００ａではない場合には、原稿影１０１が生じる虞はなく、主灯２１のみの点灯でもきれいな画像が形成できる。また、補助灯２４を消灯させることで、無駄な電力の消費を節約することができる。
【００４８】
原稿の読み取りが終了すると（ステップＳＴ９）、「貼合わせ原稿モード」の場合には、主灯２１と補助灯２４の双方を消灯させる。また、「貼合わせ原稿モード」ではない場合には、主灯２１のみを消灯させる（ステップＳＴ１０）。
【００４９】
（４）動作（第２の実施形態）
図５に示した形態は、読み取ろうとする原稿が貼合わせ原稿１００ａであるか否かの判定はユーザが行い、その判定に基づいて、ユーザが操作部８を操作して「貼合わせ原稿モード」に設定する形態である。
【００５０】
これに対して、第２の実施形態は、読み取ろうとする原稿が貼合わせ原稿１００ａであるか否かの判定を画像形成装置１（或いは画像読取装置２）が行い、自動的に「貼合わせ原稿モード」に設定する形態である。
【００５１】
図６は、第２の実施形態に係る画像形成装置１（或いは画像読取装置２）の動作例を示すフローチャートである。
【００５２】
ユーザは、原稿の読み取りを開始するため、スタートキーを押下する（ステップＳＴ１１）。
【００５３】
第２の実施形態では、スタートキーの押下によって、まず、予備スキャンを行う（ステップＳＴ１２）。このスキャンは、主灯２１のみを点灯させて行うため、消費電力は比較的少ない。
【００５４】
予備スキャンによって得られた画像データに基づいて、読み取った原稿が貼合わせ原稿１００ａであるか否かの判定を、例えば制御部７に設けられる原稿判定部７０が行う（ステップＳＴ１３）。
【００５５】
図７（Ａ）、図７（Ｂ）は、原稿が貼合わせ原稿１００ａの場合に生じる原稿影１０１の特徴を模式的に示すものである。貼合わせられる部分原稿１００ｂの厚みは、通常ある範囲に限定される。従って、画像データに現れる原稿影１０１の幅Ｗも、通常ある範囲に限定される。
【００５６】
他方、原稿影１０１の濃度も、原稿影の幅Ｗの中でランダムに変化することは考えにくく、通常は単調に変化するという特徴をもつ。これらの、貼合わせ部の原稿影にみられる特徴を判定基準とすることで、予備スキャンで読み取った原稿が張り合わせ原稿１００ａであるか否かの判定が可能となる。
【００５７】
この判定結果に基づいて、制御部７の原稿判定部７０は、「通常モード」或いは「貼合わせ原稿モード」のいずれかを設定する（ステップＳＴ１４、ステップＳＴ１５）。
【００５８】
「貼合わせ原稿モード」の場合には（ステップＳＴ１６のＹｅｓ）、主灯２１と補助灯２４の双方を点灯する（ステップＳＴ１８）。また、「通常モード」の場合には（ステップＳＴ１６のＮｏ）、主灯２１のみを点灯する（ステップＳＴ１７）。
【００５９】
この点灯状態で、本スキャンを行う（ステップＳＴ１９）。原稿の読み取りが終了すると（ステップＳＴ２０）、「貼合わせ原稿モード」の場合には、主灯２１と補助灯２４の双方を消灯させる。また、「貼合わせ原稿モード」ではない場合には、主灯２１のみを消灯させる（ステップＳＴ２１）。
【００６０】
第２の実施形態では、予備スキャンが必要となる分、読み取りに時間がかかるものの、ユーザによる原稿の状態の目視判断の手間、および「貼合わせ原稿モード」の手動設定の手間が省ける。
【００６１】
原稿の読み取りは、原稿台に原稿を載置して読み取る形態の他に、自動原稿送り装置（ＡＤＦ）による形態がある。
【００６２】
図８は、ＡＤＦを用いた原稿読み取り方法の一例を模式的に示した図である。
【００６３】
通常、貼合わせ原稿１００ａを、ＡＤＦを用いて読み取る頻度はそれ程高くない。
【００６４】
しかしながら、仮に貼合わせ原稿１００ａを、ＡＤＦを用いて読み取ったとしても、図８に示したように、ＣＩＳユニット２０で読み取る場合、貼合わせ原稿１００ａは若干彎曲して読み取られることになる。このため、貼合わせ部の段差による原稿影１０１の発生は、原稿ガラス台２５の上に平面的に載置される場合と比べると少なくなる。
【００６５】
そこで、本実施形態では、ＡＤＦを用いた原稿を読み取る場合には、消費電力の低減を優先させて、主灯２１のみを点灯させる形態としている。その上で、仮に形成された画像に原稿影１０１が目立つような場合には、操作部８の操作によって主灯２１と補助灯２４の双方を点灯させる形態に変更してもよい。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００６７】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６８】
【図１】本発明の実施形態に係る画像読取装置、および画像形成装置の構成例を示す図。
【図２】本実施形態に係るＣＩＳユニットの構成例を示す図。
【図３】貼合わせ原稿を主灯のみで読み取った場合に生じる原稿影の様子を模式的に示す図。
【図４】貼合わせ原稿を主灯および補助灯の双方で読み取った場合に、原稿影の発生を低減できる様子を模式的に示す図。
【図５】第１の実施形態に係る動作、特に、主灯と補助灯との点灯制御方法の一例を示すフローチャート。
【図６】第２の実施形態に係る動作、特に、主灯と補助灯との点灯制御方法の一例を示すフローチャート。
【図７】原稿が貼合わせ原稿であるか否かを自動判定する場合に用いる、貼合わせ原稿の特徴を説明する図。
【図８】ＡＤＦを使用する場合における、主灯と補助灯との点灯制御方法について説明する図。
【符号の説明】
【００６９】
１  画像形成装置
２  画像読取装置（スキャナ部）
３  画像処理部
４  画像形成部
７  制御部
８  操作部
２０  密着型（ＣＩＳ）センサユニット
２１  主灯（第１の光源）
２２  自己収束レンズ
２３  ＣＣＤセンサ（センサ）
２４  補助灯（第２の光源）
７０  原稿判定部
【図１】
2008028992.tif 000003
【図２】
2008028992.tif 000004
【図３】
2008028992.tif 000005
【図４】
2008028992.tif 000006
【図５】
2008028992.tif 000007
【図６】
2008028992.tif 000008
【図７】
2008028992.tif 000009
【図８】
2008028992.tif 000010